(57)【要約】【課題】取付基板の縦幅を縮小させることで、変動入賞装置の小型化を図るとともに、開閉扉の先端部とガラス枠との間隙に遊技球が滞留して開閉扉が閉鎖できなくなる事態を防止することが可能な変動入賞装置および、その変動入賞装置を備えた遊技機の提供を目的とする。【解決手段】遊技機１は、遊技盤２０の遊技領域Ｔに画成されたセンター役物２５の下方に始動入賞装置２７と、さらにその下方に変動入賞装置２８を備え、変動入賞装置２８を開閉する開閉扉３４の閉鎖時において、変動入賞装置２８を遊技盤２０に取り付ける取付基板２８ａの当接部４１の一部に、変動入賞装置２８を開閉する開閉扉３４の後面の上端部が一部当接するよう構成されている。【選択図】図２
2008017952.tif 000002
【特許請求の範囲】
【請求項１】
遊技盤に画成された遊技領域の略中央に位置して図柄変動ゲームを表示する表示手段と、
前記遊技領域における前記表示手段の上方または下方に形成された取付孔に取付基板を介して取り付けられ、所定条件の成立に基づく特定遊技状態の発生にともなって、遊技者に有利な第１の状態と遊技者に不利な第２の状態とに変動する変動入賞装置とが設けられた遊技機であって、
前記取付基板には前記遊技領域を流下する遊技球を受け入れ可能な開口部が設けられ、
前記開口部の下縁近傍には回動軸が設けられ、
前記変動入賞装置には前記回動軸を中心に前後方向に回動して前記開口部を開閉する開閉部材が設けられ、
前記変動入賞装置を前記第１の状態とするときは、前記開閉部材により前記開口部を開放し、前記変動入賞装置を前記第２の状態とするときは、前記開閉部材により前記開口部を閉鎖し、
前記開閉部材により、前記開口部が閉鎖しているときは、前記取付基板の前面上縁部の一部に前記開閉部材の後面上端部が当接すること、
を特徴とする遊技機。
【請求項２】
前記開閉部材の前面上端部は曲面となっていること、
を特徴とする請求項１に記載の遊技機
【請求項３】
前記取付基板の前面上縁部は、前記遊技盤の盤面前方かつ下方に向かって傾斜する形状の傾斜部と、該傾斜部の下方に形成され前記開閉部材の後面上端部と前記一部当接する当接部とを有し、
前記傾斜部と前記当接部との境界は段部となっており、前記当接部は前記傾斜部の下端より遊技盤の盤面方向へ後退した位置になるように形成されていること、
を特徴とする請求項１または２に記載の遊技機。
【請求項４】
前記取付基板における前記当接部の位置は、前記傾斜部より前記開閉部材の先端部の厚さと略等しい距離だけ遊技盤の盤面方向へ後退した位置となっていること、
を特徴とする請求項３に記載の遊技機。
【請求項５】
前記開閉部材の前面上端部は、前記傾斜部の下端と略等しい傾斜を有するように形成されていること、
を特徴とする請求項３または４のいずれかに記載の遊技機。
【請求項６】
前記表示手段と前記変動入賞装置との並設方向であって、前記表示手段の上方または下方に設けられたゲームの始動条件を形成する始動入賞装置をさらに備えたこと、
を特徴とする請求項１〜５のいずれかに記載の遊技機。
【請求項７】
前記開閉部材が前記開口部を閉鎖しているときに、前記開閉部材の上端部における先端が、前記遊技盤に形成された変動入賞装置の取付孔の上縁部より上方に位置すること、
を特徴とする請求項１〜６のいずれかに記載の遊技機。
【請求項８】
遊技機に用いられ、前記遊技機における遊技盤の遊技領域に取り付けられる取付基板と外接し、所定条件の成立に基づく特定遊技状態の発生にともなって、遊技者に有利な第１の状態と遊技者に不利な第２の状態とに変動する変動入賞装置であって、
前記変動入賞装置には、遊技球を取り込み可能とする開口部が設けられ、
前記開口部の下縁近傍には回動軸が設けられ、
前記変動入賞装置には前記回動軸を中心に前後方向に回動して前記開口部を開閉する開閉部材が設けられ、
前記変動入賞装置を前記第１の状態とするときは、前記開閉部材により前記開口部を開放し、前記変動入賞装置を前記第２の状態とするときは、前記開閉部材により前記開口部を閉鎖し、
前記開閉部材により、前記開口部を閉鎖しているときは、前記取付基板の前面上縁部の一部に前記開閉部材の後面上端部が当接すること、
を特徴とする遊技機の変動入賞装置。
【請求項９】
遊技盤に画成された遊技領域の略中央に位置して図柄変動ゲームを表示する表示手段と、
前記遊技領域における前記表示手段の周辺に形成された取付孔に取付基板を介して取り付けられ、所定条件の成立に基づく特定遊技状態の発生にともなって、遊技者に有利な第１の状態と遊技者に不利な第２の状態とに変動する変動入賞装置とが設けられた遊技機であって、
前記取付基板には前記遊技領域を流下する遊技球を受け入れ可能な開口部が設けられ、
前記開口部の下縁近傍には回動軸が設けられ、
前記変動入賞装置には前記回動軸を中心に前後方向に回動して前記開口部を開閉する開閉部材が設けられ、
前記変動入賞装置を前記第１の状態とするときは、前記開閉部材により前記開口部を開放し、前記変動入賞装置を前記第２の状態とするときは、前記開閉部材により前記開口部を閉鎖し、
前記開閉部材により、前記開口部が閉鎖しているときは、前記取付基板の前面上縁部の一部に前記開閉部材の後面上端部が当接すること、
を特徴とする遊技機。
【発明の詳細な説明】
【技術分野】
【０００１】
本発明は、入賞装置を有する遊技機および遊技機の変動入賞装置に関する。
【背景技術】
【０００２】
従来、遊技球を使用した遊技機として、いわゆるセブン機と呼ばれる遊技機が広く普及している。従来からこのセブン機をはじめとする遊技機には、遊技盤における遊技領域に、回転ドラムや表示画面（例えば、ＬＣＤ；Ｌｉｑｕｉｄ  Ｃｒｙｓｔａｌ  Ｄｉｓｐｌａｙ）等の演出部材および、ＬＥＤ（Ｌｉｇｈｔ  Ｅｍｉｔｔｉｎｇ  Ｄｉｏｄｅ）等の装飾部材を備えたセンター役物が、遊技領域の中央から上部にかけて設けられている。
【０００３】
センター役物は、液晶画面やドラム、ベルト式画面などの表示画面をはじめとする演出部材およびＬＥＤなどの装飾部材が一体となり、表示画面などに所定の図柄等を可変表示（更新表示やスクロール表示など）する。この可変表示によって、例えば、所定の図柄等を変動させ、図柄変動表示ゲームの内容等を表示している。このセンター役物における表示画面は、近年の遊技機においては遊技者の感興を誘い、遊技機の興趣を高めるものとして、遊技機の構成部品の中でも重要な役割を果たしている。
【０００４】
近年、さらに図柄変動ゲームの表示演出効果を高めて、遊技者の感興・遊技機の興趣を高めるために、遊技機の装飾部材および演出装置・演出部材等が大型化され、遊技盤における遊技領域に占める割合も大きくなってきている。
【０００５】
また、遊技機には、センター役物の他に、入賞すると図柄変動ゲームが開始されることとなる始動入賞装置や、遊技者が遊技の結果、大当たりを獲得した際に作動する変動入賞装置などを備えて構成されている。
【０００６】
この変動入賞装置は、従来その配置領域が制限されていたこと、また、演出効果を高めるためにセンター役物等の配設領域は遊技領域の中央部であることが多いことなどの理由により、センター役物の直下に配設されることが多かった。
【０００７】
また、演出装置・演出部材を大型化するために遊技機自体を大型化すると、遊技機の大幅な設計変更や遊技機の設置場所の大幅な設計変更をともなうため、演出装置・演出部材を大型化しても遊技機自体は大型化しないようにする必要がある。
【０００８】
したがって、前述のように遊技機の装飾部材および演出装置・演出部材等が大型化され、センター役物全体の配設領域も必然的に広範となってきていることにともない、センター役物の下方に配置される始動入賞装置や変動入賞装置の配設方法や構成・構造は、省スペース化、小型化等する必要がある。ただし、始動入賞装置や変動入賞装置の省スペース化、小型化はその配設領域上または、構造上、様々な問題をともなう。
【０００９】
例えば、表示画面・センター役物および変動入賞装置間の省スペース化を図るために、変動入賞装置の開閉部材としての開閉扉の縦幅を縮小する場合、以下のような問題がある。すなわち、変動入賞装置の開閉部材は、変動入賞装置と遊技盤を接合する取付基板に形成された開口部の内方域に収容されており、また、開放駆動時には当該開口部から突出して、遊技領域を流下する遊技球を受け入れるように構成されている。さらに、遊技盤の前方（遊技盤と遊技者の間）には、前面ガラスが配置されており、開閉部材は遊技盤と前面ガラスとの間で開閉する。したがって、開閉部材の縦幅を一定幅以下（例えば、遊技球の直径程度以下）に縮小させてしまうと、開閉部材の先端と前面ガラスとの間に隙間が生じ、流下してきた遊技球が滞留して、開閉部材を閉鎖することができなくなるおそれが生じる。
【００１０】
また、単純に取付基板の周縁部を薄型化すると、その薄型化により取付基板の強度が不足してしまう。さらに、開閉部材の開放時において、変動入賞装置から、遊技盤に形成された変動入賞装置取付孔の端縁が露出して、美観を損ねるおそれがある。
【００１１】
これらの問題に対して、遊技機の遊技盤前面かつ変動入賞装置の開閉部材を覆うように、カバーを設け、当該カバーと変動入賞装置との間隔は遊技球が通過可能なように設けるとともに、開口した開閉部材の上端より上方に位置するカバーの上縁部分の内側に上方から落下する遊技球を開閉部材の上面に導く遊動部を設けた、遊技機の変動入賞装置が提案されている（例えば、特許文献１）。これにより、開閉部材の縦幅を縮小させても、遊技球の滞留が起こらず、変動入賞装置を開閉部材の縮小分だけ小型化できる。
【００１２】
さらに、開閉部材の縦幅を縮小させることによる遊技球の滞留を防止するような配慮がなされている。
【００１３】
【特許文献１】特開平８−２０６２９５号公報
【発明の開示】
【発明が解決しようとする課題】
【００１４】
しかしながら、特許文献１によれば、変動入賞装置の開閉部材の縦幅を縮小させるために、遊技機の遊技盤前面かつ変動入賞装置の開閉部材を覆うように、カバーを設ける構成となっていることから、美観を損なうおそれがある。また、当該カバーを、遊技機の前面ガラスと遊技盤との間に形成しつつ、カバーと前面ガラスとの間で遊技球の滞留が生じないような構成としなければならず、従来の遊技機の製造になかった工程を経なければならない上、その工程は、若干の誤差が生じても隙間が生じてしまうことから、非常に精緻な作業が要求されることになり、製造工程が煩雑となる問題が生じる。さらには、変動入賞装置に適した当該カバーを新たに作成する必要があり、遊技機における部品点数の増加という問題が生じる。
【００１５】
また、変動入賞装置の縦幅を縮小させるために、変動入賞装置を取付孔に取り付けるための取付基板の周縁部を薄型化する構成が考えられる。しかし、この構成によると、開閉部材の開放駆動時に、変動入賞装置から変動入賞装置の取付孔の端縁が露出して美観が損われ、取付基板の強度が損われてしまうおそれがある。さらにこの美観や強度を損なう問題に対して、取付基板の取付孔をより広く形成して当該露出の問題を解消しようとすると、当該取付孔の加工誤差や取付基板の製造誤差が若干でも生じれば、その誤差が隙間を生じさせる原因となる。したがって、この問題を解消するためには、非常に精緻な作業が要求されることになり、製造工程が煩雑となる問題が生じ、歩留まりが低下する問題が生じうる。
【００１６】
また、上記とは全く異なる観点で、変動入賞装置等の設置領域そのものを従来とは異なる領域、例えば遊技領域において空いている領域に変更することにより、演出装置・演出部材等の大型化に対応することも可能である。しかし、この場合、遊技領域におけるゲージ構成の大幅な変更をともなうことになってしまう。さらに、ゲージ構成を変更することにより、遊技機による遊技の感興がそがれてしまうおそれがある。
【００１７】
本発明は、以上の問題に鑑みてなされたものであり、遊技機を大型化することなく、かつ、ゲージ構成に対する影響を可及的に低減しつつ、遊技領域のスペースを拡大し、そのスペースを他の用途のスペースに供することができるとともに、開閉部材の先端部と遊技機の前面ガラスとの隙間に遊技球が滞留してしまうことによって開閉部材が閉鎖できなくなる事態を防止することが可能な変動入賞装置および、その変動入賞装置を備えた遊技機の提供を目的とする。
【課題を解決するための手段】
【００１８】
上述の課題を解決するために請求項１に記載の発明は、遊技盤に画成された遊技領域の略中央に位置して図柄変動ゲームを表示する表示手段と、前記遊技領域における前記表示手段の上方または下方に形成された取付孔に取付基板を介して取り付けられ、所定条件の成立に基づく特定遊技状態の発生にともなって、遊技者に有利な第１の状態と遊技者に不利な第２の状態とに変動する変動入賞装置とが設けられた遊技機であって、前記取付基板には前記遊技領域を流下する遊技球を受け入れ可能な開口部が設けられ、前記開口部の下縁近傍には回動軸が設けられ、前記変動入賞装置には前記回動軸を中心に前後方向に回動して前記開口部を開閉する開閉部材が設けられ、前記変動入賞装置を前記第１の状態とするときは、前記開閉部材により前記開口部を開放し、前記変動入賞装置を前記第２の状態とするときは、前記開閉部材により前記開口部を閉鎖し、前記開閉部材により、前記開口部が閉鎖しているときは、前記取付基板の前面上縁部の一部に前記開閉部材の後面上端部が当接すること、を特徴とする。
【００１９】
請求項２の発明は、請求項１に記載の遊技機において、前記開閉部材の前面上端部は曲面となっていること、を特徴とする。
【００２０】
請求項３の発明は、請求項１または２に記載の遊技機において、前記取付基板の前面上縁部は、前記遊技盤の盤面前方かつ下方に向かって傾斜する形状の傾斜部と、該傾斜部の下方に形成され前記開閉部材の後面上端部と前記一部当接する当接部とを有し、前記傾斜部と前記当接部との境界は段部となっており、前記当接部は前記傾斜部の下端より遊技盤の盤面方向へ後退した位置になるように形成されていること、を特徴とする。
【００２１】
請求項４の発明は、請求項３に記載の遊技機において、前記取付基板における前記当接部の位置は、前記傾斜部より前記開閉部材の先端部の厚さと略等しい距離だけ遊技盤の盤面方向へ後退した位置となっていること、を特徴とする。
【００２２】
請求項５の発明は、請求項３または４のいずれかに記載の遊技機において、前記開閉部材の前面上端部は、前記傾斜部の下端と略等しい傾斜を有するように形成されていること、を特徴とする。
【００２３】
請求項７の発明は、請求項１〜６のいずれかに記載の遊技機において、前記開閉部材が前記開口部を閉鎖しているときに、前記開閉部材の上端部における先端が、前記遊技盤に形成された変動入賞装置の取付孔の上縁部より上方に位置すること、を特徴とする。
【００２４】
請求項８の発明は、遊技機に用いられ、前記遊技機における遊技盤の遊技領域に取り付けられる取付基板と外接し、所定条件の成立に基づく特定遊技状態の発生にともなって、遊技者に有利な第１の状態と遊技者に不利な第２の状態とに変動する変動入賞装置であって、前記変動入賞装置には、遊技球を取り込み可能とする開口部が形成され、前記開口部の下縁近傍には回動軸が形成され、前記変動入賞装置には前記回動軸を中心に前後方向に回動して前記開口部を開閉する開閉部材が形成され、前記変動入賞装置を前記第１の状態とするときは、前記開閉部材により前記開口部を開放し、前記変動入賞装置を前記第２の状態とするときは、前記開閉部材により前記開口部を閉鎖し、前記開閉部材により、前記開口部を閉鎖しているときは、前記取付基板の前面上縁部の一部に前記開閉部材の後面上端部が当接すること、を特徴とする。
【００２５】
請求項９の発明は、遊技盤に画成された遊技領域の略中央に位置して図柄変動ゲームを表示する表示手段と、前記遊技領域における前記表示手段の周辺に形成された取付孔に取付基板を介して取り付けられ、所定条件の成立に基づく特定遊技状態の発生にともなって、遊技者に有利な第１の状態と遊技者に不利な第２の状態とに変動する変動入賞装置とが設けられた遊技機であって、前記取付基板には前記遊技領域を流下する遊技球を受け入れ可能な開口部が設けられ、前記開口部の下縁近傍には回動軸が設けられ、前記変動入賞装置には前記回動軸を中心に前後方向に回動して前記開口部を開閉する開閉部材が設けられ、前記変動入賞装置を前記第１の状態とするときは、前記開閉部材により前記開口部を開放し、前記変動入賞装置を前記第２の状態とするときは、前記開閉部材により前記開口部を閉鎖し、前記開閉部材により、前記開口部が閉鎖しているときは、前記取付基板の前面上縁部の一部に前記開閉部材の後面上端部が当接すること、を特徴とする。
【発明の効果】
【００２６】
本発明に係る請求項１に記載の遊技機における変動入賞装置または請求項８に記載の変動入賞装置は、開口部を開閉する開閉部材が開口部を閉鎖しているときに、変動入賞装置を取付孔に取り付けるための取付基板の前面上縁部と、開閉部材の後面上端部とが一部当接するように構成されている。
【００２７】
これにより、遊技盤における従来の変動入賞装置と比べ、変動入賞装置を取付孔に取り付けるための取付基板の前面上縁部と、開閉部材の後面上端部とが一部当接している分、取付基板と変動入賞装置とが占有する配設領域の省スペース化が図られ、その空いたスペースを他の用途に用いることができる。例えば、表示画面の大型化にも対応することができる。
【００２８】
また、変動入賞装置を取付孔に取り付けるための取付基板の前面の上縁部と、開閉部材の裏面上端部とを一部当接させることにより、遊技球を受ける開閉部材の縦幅を縮小しなくとも省スペース化が図られるため、開閉部材と前面ガラスとの間に遊技球の滞留が生じるという問題を解消できる。さらに、この構成であれば、従来の遊技機の製造工程を大幅に変更する必要がなく、煩雑な製造工程を経る必要もない。加えて、新たに部品を作成する必要がなく、遊技機を構成する部品点数の増加という問題も生じることがない。
【００２９】
また、変動入賞装置の取付基板の前面の上縁部と、開閉部材の裏面上端部とを一部当接させることにより、取付基板の周縁部を薄型化することなく、省スペース化を図っているため、開閉部材の開放駆動時に、変動入賞装置から変動入賞装置の取付孔の端縁が露出して美観を損ねる事態を防止し、取付基板の強度を損なうこともない。
【００３０】
本発明に係る請求項２に記載の遊技機における変動入賞装置の開閉部材は、前面上端部が曲面となるように形成されている。したがって、開閉部材の閉鎖時において開閉部材の上端部に流下してきた遊技球が当たった場合でも、その衝撃で開口部が開放してしまう事態を防止することができ、意図しないタイミングで変動入賞装置に遊技球が入賞してしまうことがなく、遊技機における遊技に支障をきたすおそれがなくなる。
【００３１】
本発明に係る請求項３に記載の遊技機は、変動入賞装置を取付孔に取り付けるための取付基板の前面上縁部における、遊技盤の盤面前方かつ下方に向かって傾斜する形状の傾斜部と、開閉部材の裏面の上端部と当接する当接部との境界は段部となっている。さらに当接部は、傾斜部の下端より後方に位置するように形成されている。
【００３２】
これにより、取付基板の前面上縁部と当接している開閉部材の後面上端部に、流下してきた遊技球が当たることがなく、開閉部材の後面上端部に、流下してきた遊技球が当たった衝撃で開口部が開放してしまうことによって、意図しないタイミングで変動入賞装置に遊技球が入賞してしまうことがなく、遊技機における遊技に支障をきたすおそれがなくなる。
【００３３】
本発明に係る請求項４に記載の遊技機の変動入賞装置の取付基板における当接部は、取付基板における傾斜部の下端より開閉部材の先端部の厚さと略等しい距離だけ遊技盤の盤面方向へ後退した位置に形成されている。したがって、開閉部材の閉鎖時において、当該開閉部材の先端部が取付基板の傾斜部および段部の下方に収容されるので、開閉部材の閉鎖時において開閉部材の上端部に流下してきた遊技球が当たった場合でも、その衝撃で開口部が開放してしまう事態を防止することができ、意図しないタイミングで変動入賞装置に遊技球が入賞してしまうことがなく、遊技機における遊技に支障をきたすおそれがなくなる。
【００３４】
さらに、当該開閉部材の先端部が取付基板の傾斜部および段部の下方に収容されることにより、開閉部材の後面先端部が当接部と当接し、当該当接部と段部により画成される収容空間に収容されているため、例えば、針金等の器具を当該後面先端部に引っ掛けて開閉扉を開放させるなど、不正に変動入賞装置を開放させる行為を行い難くし、不正行為を防止しうる。
【００３５】
本発明に係る請求項５に記載の遊技機の変動入賞装置の開閉部材における前面上端部は、取付基板における傾斜部の下端と略等しい傾斜を有するように形成されている。したがって、開閉部材の閉鎖時において、当該開閉部材の前面上端部と傾斜部の下端とが略連続した傾斜面を形成するので、開閉部材の閉鎖時において開閉部材の上端部に流下してきた遊技球が当たった場合でも、その衝撃で開口部が開放してしまう事態を防止することができ、意図しないタイミングで変動入賞装置に遊技球が入賞してしまうことがなく、遊技機における遊技に支障をきたすおそれがなくなる。
【００３６】
本発明に係る請求項７に記載の遊技機は、変動入賞装置の開閉部材が取付基板の開口部を閉鎖しているときに、開閉部材の上端部における先端は、前記遊技盤に形成された変動入賞装置の取付孔の上縁部より上方に位置するような構成となっている。
【００３７】
これにより、遊技盤における従来の変動入賞装置と比べ、変動入賞装置の取付孔の上縁部より開閉部材の上端部が上方に位置している分、変動入賞装置が占有する配設領域の省スペース化が図られ、その空いたスペースを他の用途に用いることができる。例えば、表示画面の大型化にも対応することができる。
【００３８】
また、変動入賞装置の取付孔の上縁部より開閉部材の上端部が上方に位置していることにより、遊技球を受ける開閉部材の縦幅を縮小しなくとも省スペース化が図られるため開閉部材と前面ガラスとの間に遊技球の滞留が生じるという問題を解消できる。さらに、この構成であれば、従来の遊技機の製造工程を大幅に変更する必要がなく、煩雑な製造工程を経る必要もない。加えて、新たに部品を作成する必要がなく、遊技機を構成する部品点数の増加という問題も生じることがない。
【００３９】
本発明に係る請求項９に記載の発明は、表示手段の周辺に配置される変動入賞装置の開閉部材が取付基板の開口部を閉鎖しているときに、開閉部材の上端部における先端は、前記遊技盤に形成された変動入賞装置の取付孔の上縁部より上方に位置するような構成となっている。したがって、当該変動入賞装置の上方および下方の省スペース化を図ることができ、空いたスペースを他の用途に用いることができる。例えば、遊技機を遊技領域の左方または右方に変動入賞装置を配置する構成をとった場合において、遊技盤における遊技部材の構成を多様なものとすることができる。
【発明を実施するための最良の形態】
【００４０】
以下、本発明の実施形態の一例として、本発明をパチンコ遊技機（以下、「パチンコ機」と示す）に適用した実施形態について図１〜図８を参照して説明する。
【００４１】
なお、以下の説明において、「前方」とは、パチンコ機において遊技盤の盤面のうち、遊技釘等が形成される側の面と、当該面を覆うガラス枠の面（以下、「ガラス面」という）が対向するよう配置された場合に、遊技盤の盤面と直交する方向かつ、遊技盤の盤面からガラス面に向かった方向をいう。「後方」とは当該「前方」と対向する方向である。同様に、「前面」とは「前方」側の面をいい、「後面」とは、「後方」の面をいう。また、「上」、「下」、「左」、「右」とは、パチンコ機１に対して「前方」に遊技者がいる場合の、当該遊技者から見た「上」、「下」、「左」、「右」をいう。
【００４２】
［全体構成］
図１は、本発明の実施形態にかかるパチンコ機１の概略正面図である。パチンコ機１は、その背面おいて、縦長方形の外枠１０により、図示しない遊技機設置台（例えば、パチンコ店などの遊技場においてパチンコ機を設置するための台）に取り付けられる。また外枠１０には、前面の左側にヒンジ１１が設けられ、当該ヒンジ１１には、開口部を有し各種の遊技用構成部材がセットされる縦長方形の中枠１２が開閉および着脱自在に組み付けられている。また、中枠１２の前面側には、パチンコ機内部に配置された遊技盤２０を透視保護するためのガラス枠を備えた前枠１３と、遊技者が遊技球を貯留しておくための上球皿１４が共に横開き状態で開閉可能に組み付けられている。なお、遊技盤を透視保護する部材はガラス枠に限定されず、アクリル板であってもよい。
【００４３】
また、前枠１３の周囲前面側および遊技盤２０には、パチンコ機１の各種遊技の状態（図柄変動、大当り状態、リーチ状態など）に応じて点灯（点滅）または消灯して、発光装飾に基づく遊技演出（発光演出）を行う装飾ランプ１５が設けられている。この装飾ランプ１５は、ＬＥＤなどの発光体を備え、その発光体にレンズ部材を覆い被せて構成されている。また、上球皿１４には、各種音声（効果音）を出力し、音声出力に基づく遊技演出（音声演出）を行うスピーカ１７が設けられている。中枠１２の下部には、下球皿１６および発射装置１８が装着されている。
【００４４】
また、上球皿１４の両側方には、前記遊技の状態に応じて各種音声（効果音など）を出力し、音声出力に基づく遊技演出（音声演出）を行うスピーカ１７が設けられている。さらに、中枠１２の下部には、下球皿１６および発射装置１８などが装着されている。
【００４５】
なお、上球皿１４と下球皿１６とはともに、遊技者が遊技球を貯留しておくためのものであるが、上球皿１４には、図示しない球貸ボタンを押した時に貸し出される遊技球や、賞球（払い出し）された遊技球が貯留され、ここに貯留される遊技球は、発射装置１８から発射される。一方、下球皿１６は、上球皿１４に貯留された遊技球を誘導させて貯留させておくものであり、通常は上球皿１４に遊技球が入りきらないときに下球皿１６に過剰な遊技球を誘導して貯留させる。この下球皿１６には、上球皿１４に遊技球が入りきらない場合に自動的に過剰な遊技球を誘導させるように構成してもよく、下球皿１６にも遊技球が入りきらなくなった場合は遊技球の発射を一時的に止めるように構成してもよい。
【００４６】
［遊技盤の構成］
図２は、本発明の実施形態にかかるパチンコ機１の遊技盤２０の概略正面図である。
図２に示すように、パチンコ機１に設けられる遊技盤２０は、略矩形状に形成されている。
遊技盤２０の盤面前側には、外ガイドレール２１ａ、内ガイドレール２１ｂが立設され、遊技盤２０の盤面には、この外ガイドレール２１ａおよび内ガイドレール２１ｂに囲われた略円形状の遊技領域Ｔが形成される。また、遊技盤２０の左側には、内ガイドレール２１ｂの外側と外ガイドレール２１ａの内側によって形成された遊技球誘導路２２が形成される。この遊技球誘導路２２は、発射装置１８から発射された遊技球を遊技領域Ｔへ誘導する。
【００４７】
遊技領域Ｔには、装飾部材や演出部材などの様々な遊技部材が配設される。例えば、遊技領域に打ち出された遊技球の流下方向を変動させるためのゲージ構成をなす複数の遊技釘や風車２４などがあり、また、遊技盤２０の略中央から上方には、遊技用部材としてのセンター役物２５が配設されている。センター役物２５には、複数種類の図柄を変動させて図柄組み合わせによる図柄変動ゲーム（遊技演出（表示演出））を表示する可変表示装置２３が設けられている。このセンター役物２５および可変表示装置２３は本発明における「表示手段」を構成する。また、センター役物２５には、発光することにより遊技演出（発光演出）を行う装飾ランプが設けられている。
【００４８】
また、遊技盤２０における遊技領域Ｔの左下側および右下側には、遊技用部材としての一般入賞口２６ｃ・２６ｄが配設されている。一般入賞口２６ｃ・２６ｄは、取付基板２６ｅ・２６ｆによって遊技盤２０に据え付けられる。また、左右の一般入賞口２６ｃ・２６ｄの近傍には、サイドランプ２６ｇ・２６ｈが同じく取付基板２６ｅ・２６ｆにより据え付けられる。このサイドランプ２６ｇ・２６ｈは、発光に基づく遊技演出（発光演出）を行う。
【００４９】
遊技盤２０の略中央に位置するセンター役物２５の下方には、始動入賞装置２７が配設されている。始動入賞装置２７には、アクチュエータ（図示せず）の作動により開閉動作を行う開閉羽根２７ａ・２７ｂが設けられている。また、始動入賞装置２７のさらに下方には、変動入賞装置２８が配設されている。
【００５０】
さらに、遊技盤２０における遊技領域Ｔの最下部には、アウト口２９が配設されている。このアウト口２９は、いずれの入賞装置にも入賞せず、遊技領域Ｔの最下部中央まで流下した遊技球を回収してパチンコ機１の内部へ送出し、機外排出を行うために設けられるものである。
【００５１】
また、これらの遊技部材は遊技釘のように打設されるものと、センター役物２５のように遊技盤２０にルーター等で取付孔を形成して取り付けられるものがある。図２に示すように、本実施形態において遊技盤２０の取付孔に取り付けられるものには、センター役物２５、始動入賞装置２７、変動入賞装置２８、アウト口２９があり、その順に、遊技領域Ｔの略中心を通る略鉛直線上に間隔を開けて配設されている。
【００５２】
［各入賞装置の構成］
次に、本実施形態にかかる各入賞装置について説明する。
【００５３】
（一般入賞口）
一般入賞口２６ｃおよび２６ｄには、遊技球を入賞可能とする開口部（図示せず）が形成されている。この開口部は略上方に開放され、その幅は、遊技球を少なくとも１個通過可能となるように形成されている。これら一般入賞装置２６ｃまたは、２６ｄの開口部から入賞した遊技球は、当該開口部の下方から後方に向かって形成された遊技球通過ゲート（図示せず）を通って回収される。この回収された遊技球は、遊技球通過ゲートのさらに後方に配置された遊技球検出センサ（図示せず）によって検出される。このようにして遊技球検出センサが検遊技球を検出すると、入賞状態となり、１回（１個）の入賞につき、例えば、賞球として１０個の遊技球が上球皿１４に払い出される。
【００５４】
（始動入賞装置）
始動入賞装置２７には、アクチュエータ（図示せず）の作動により開閉動作を行う開閉羽根２７ａ・２７ｂが設けられている。この開閉羽根２７ａ・２７ｂは、通常、対向するような位置にあり、開閉羽根２７ａ・２７ｂが当該位置にある場合、開閉羽根２７ａと２７ｂとの間隔は、遊技球が少なくとも１個通過可能とするように形成されている。
【００５５】
また、開閉羽根２７ａ・２７ｂの下端は、始動入賞装置２７を遊技盤に取り付けるための取付板に軸支されており、所定の条件の下では、開閉羽根２７ａはアクチュエータにより左方向に回動するとともに、開閉羽根２７ｂはアクチュエータにより右方向に回動する。すなわち開閉羽根２７ａと２７ｂとの間隔が広がる。さらに、当該開閉羽根２７ａと２７ｂとの間の下端から後方に向かって形成された遊技球通過ゲート（図示せず）が形成されている。
【００５６】
また、遊技球が始動入賞装置２７における開閉羽根２７ａと２７ｂとの間を通過して、始動入賞装置に入賞すると、遊技球通過ゲートを通ってパチンコ機１の内部に回収される。この回収された遊技球は、遊技球通過ゲートのさらに後方に配置された始動装置センサ（図示せず）によって検出される。このようにして始動装置センサが検遊技球を検出すると、入賞状態となり、図柄組み合わせゲームの始動条件を付与する。
【００５７】
ここで図柄変動ゲームの概略について説明する。可変表示装置２３には、例えば３つの図柄が横並びに表示される。これら各図柄は、「０」〜「９」の１０種類の数字図柄で構成されている。可変表示装置２３は、入賞状態でないときは、この図柄を各図柄ごとに停止した状態で表示させている。また、始動装置センサが遊技球を検出すると、各図柄を上下方向にスクロールさせて変動表示を行う。なお、特別図柄の変動表示は、本発明の「図柄変動ゲーム」に相当する。なお、可変表示装置２３で表示する図柄は、数字に限るものではなく、アルファベットや記号、キャラクタ図柄等でもよい。
【００５８】
また、可変表示装置２３は、変動表示すなわち図柄をスクロールさせてから所定時間後に、スクロールを停止させ、所定の図柄が停止した状態で表示される。例えば、可変表示装置２３の左方に表示される図柄、右方に表示される図柄、中央に表示される図柄の順で、スクロールが停止するように表示する。
【００５９】
ここで、遊技者は、可変表示装置２３に表示された停止された状態で表示された左・右・中央の図柄の組み合わせから特定遊技状態（大当り状態）、リーチ状態又はハズレ状態のいずれかの状態を認識することができる。例えば、停止された状態で表示された左・右・中央の全列の図柄の全部が同一の図柄を表示している場合には、特別遊技状態となり、後述する変動入賞装置２８が遊技者に有利な状態となり、遊技球が入賞可能となる。また、左・右・中央の図柄のうちいずれか２列が停止された状態で同一の図柄を表示している場合は、その図柄の組み合わせからリーチ状態を認識することができる。また、左・右・中央の図柄の全列が停止された状態のときに、全列の図柄が同一とならない場合は、ハズレ状態を認識することができる。なお、特別遊技状態については図４を用いて後述する。
【００６０】
（変動入賞装置）
次に、変動入賞装置２８について図３〜図６を用いて説明する。図３は、本実施形態にかかるパチンコ機１の変動入賞装置２８の分解斜視図である。図３に示すように、変動入賞装置２８は、変動入賞装置２８を遊技盤２０に取り付けるための取付基板２８ａを前方に備えている。この取付基板２８ａは後面において当該装置本体をなす箱枠３０とねじなどで固着され、また、その隅部に形成した４箇所の通孔を介して遊技盤２０の前面にねじ止め固定される。また、取付基板２８ａの前面中央には、次に述べる箱枠３０の遊技球入賞口を臨むように形成された開口部２８ｂが設けられている。この開口部２８ｂは、遊技球を少なくとも１個通過可能な高さを有するように形成される。また、本実施形態において開口部は、横長の長方形の形状となっている。
【００６１】
また、取付基板２８ａの開口部２８ｂの裏面の左右両端にはＬＥＤ基板収容部２８ｃが備えられており、このＬＥＤ基板収容部２８ｃの内部には、ＬＥＤ基板２８ｄが収容されている。ＬＥＤ基板収容部２８ｃの前面には、開口部２８ｂの左方および右方において取付基板２８ａに形成された取付孔に、透光性のＬＥＤ前面カバー２８ｅが設けられている。また、ＬＥＤ基板収容部２８ｃの後面には、ＬＥＤ背面カバー２８ｆが設けられている。このＬＥＤ基板は、ＬＥＤを備え、発光に基づく遊技盤２０の遊技演出（発光演出）を行う。
【００６２】
箱枠３０には、前面中央に遊技球入賞口が設けられている。この遊技球入賞口は、取付基板２８ａの開口部２８ｂと略同一の形状となっており、取付基板２８ａと箱枠３０が固着された際に遊技球入賞口と開口部２８ｂとが同一の開口を形成するように設けられている。また、この遊技球入賞口は、遊技球を少なくとも１個通過可能な大きさを有するように形成される。
【００６３】
また、箱枠３０は前面下方の右側に軸受３１を備え、左側に扉リブ３６ｂを備えている。この軸受３１と扉リブ３６ｂには回動軸３３と係合する孔部が水平方向に設けられており、この孔部には回動軸３３が回動自在に嵌合されている。また、この回動軸３３が、開閉扉３４の下端の左右両端に設けられた軸受孔３４ａとも回動自在に嵌合されていることにより、開閉扉３４は箱枠３０に設けられた回動軸３３において回動自在に軸支されて開閉自在となっている。
【００６４】
なお、本実施形態において回動軸３３は、箱枠３０の下端に設けられているが、取付基板２８ａにおける開口部２８ｂの下縁近傍に設けられていればよい。ここでいう開口部２８ｂの下縁近傍とは、例えば、当該開口部２８ｂの下縁（機前後方向における当該下縁）よりも上方の領域であって、かつ、開口部２８ｂの上縁から遊技球の直径と略同一の幅をおいた下方の領域が該当する。この遊技球の直径と略同一の幅は、開閉扉３４の開放時において、変動入賞装置２８の遊技球入賞口に遊技球を少なくとも１個通過させることを可能とするために設定するものである。よって、回動軸３３の軸受３１等が設けられている部分以外の開閉扉３４の後面域に遊技球を遊技球入賞口へと案内することができる程度の幅を確保でき、その後面域から開口部２８ｂの上縁までの距離を少なくとも遊技球の直径分確保することができるのであれば、開口部２８ｂの左右両端に設けられる回動軸３３の軸受３１等の上端から開口部２８ｂの上縁までの幅を、遊技球の直径より若干低くなるように設定してもよい。
【００６５】
また、箱枠３０内部左側には、開閉扉３４を開閉動作させるソレノイド３５、扉テコ３６ａおよび扉リブ３６ｂ、扉プランジャ３７およびバネ３８が設けられている。ここで、図４を用いてソレノイド３５によって開閉扉を開閉動作させる構成および本発明の特別遊技状態について説明する。図４（Ａ）は、ソレノイド３５が通電せず、開閉扉３４が閉鎖状態となっている状態を示す図面である。また、図４（Ｂ）は、ソレノイド３５が通電し、開閉扉３４が開放状態となっている状態を示す図面である。
【００６６】
箱枠３０の内部左側に設けられたソレノイド３５の前面には、図３に示すようにバネが設けられており、バネ３８には扉プランジャ３７が前後方向に移動可能に係合されている。この扉プランジャ３７は、図３に示すように、バネ３８と嵌合する軸部３７ａと、扉テコ３６ａの後面と当接して嵌合されている当接面３７ｂが設けられている。
【００６７】
後面において扉プランジャ３７の当接面３７ｂと当接する扉テコ３６ａは、図３に示すように、左右の側部に回動軸部を備えており、この回動軸部は箱枠３０の内部に回動可能に軸支される。当該回動軸部による回動方向は、図４（Ａ）に示すＸ１方向または、図４（Ｂ）に示すＸ２方向であり、回動可能な範囲は、扉リブ３６ｂにより定まる。また、扉テコ３６ａは、図３に示すように、前面に突起部が設けられており、当該突起部は先端部において、図４（Ａ）に示すように扉リブ３６ｂと係合する。
【００６８】
この扉リブ３６ｂは、略コ字形状をなしており、開閉扉３４の左端面に固着されている。なお、扉リブ３６ｂは、開閉扉３４と一体となるように形成してもよい。また、この扉リブ３６ｂにおける略コ字形状の上部リブ３６ｃと下部リブ３６ｄとの間隔は、扉テコ３６ａにおける突起部が、図４（Ａ）に示すＸ１方向または、図４（Ｂ）に示すＸ２方向に回動可能となる程度に形成される。
【００６９】
また、ソレノイド３５は、扉プランジャ３７を前方に押出して、開閉扉３４を開放させるための駆動装置である。図４（Ａ）に示すような開閉扉３４の閉鎖時においては、ソレノイド３５は通電せず、消磁している状態である。
【００７０】
このとき扉プランジャ３７は、ソレノイド３５と扉テコ３６ａとの間に設けられたバネ３８が付勢することによって前方に押出されており、扉プランジャ３７が前方に押出されることにより、扉プランジャ３７の当接面３７ｂが、扉テコ３６ａの後面を押出す。扉テコ３６ａの後面が押出されると、扉テコ３６ａの回動軸部により、扉テコ３６ａにおける突起部がＸ１方向に回動し、当該突起部の先端下部が扉リブ３６ｂの下部リブ３６ｄに当接し、扉リブ３６ｂを押し下げる。扉リブ３６ｂが押し下げられると、扉リブ３６ｂに固着されている開閉扉３４が図４（Ａ）に示すＹ１方向に回動し、開閉扉３４が取付基板２８ａの開口部２８ｂを閉鎖する。
【００７１】
それに対し、ソレノイド３５が励磁した場合は、図４（Ｂ）に示すように、開閉扉３４が開放状態となる。すなわち、ソレノイド３５が通電し、ソレノイド３５が励磁の状態となると、扉プランジャ３７における当接面３７ｂが、バネ３８の弾性力に抗して後方に押し戻されることにより、当該当接面３７ｂと後面上端において係合している扉テコ３６ａも押戻される。扉テコ３６ａの後面が押戻されると、扉テコ３６ａの回動軸部により、扉テコ３６ａにおける突起部がＸ２方向に回動し、当該突起部の先端上部が上部リブ３６ｃに当接し、それにより、扉リブ３６ｂに固着されている開閉扉３４がＹ２方向に回動し、開閉扉３４が取付基板２８ａの開口部２８ｂを開放する。
【００７２】
また、箱枠３０の内部右側には、カウントスイッチ３９が設けられている。このカウントスイッチ３９は、開閉扉３４が開放して、変動入賞装置２８（箱枠３０）に入賞した遊技球を検知するものである。カウントスイッチ３９は遊技球が通過可能な通過孔が形成されており、通過孔を遊技球が通過するとカウントスイッチ３９が遊技球を検出し、特別入賞状態となる。このようにして特別入賞状態となると、１回（１個）の入賞につき、例えば、賞球として１５個の遊技球が上球皿１４に払い出される。なお、図３に示すように箱枠３０には、変動入賞装置２８に入賞した遊技球をカウントスイッチ方向に誘導するガイド３０ａが設けられている。
【００７３】
以上のように、特別遊技状態とは、ソレノイド３５が励磁の状態となると開閉扉３４を開放して特別入賞状態となり遊技者にとって有利となる第１の状態が形成される。一方、ソレノイド３５が消磁の状態となると、開閉扉３４を閉鎖状態となり遊技者に不利となる第２の状態とに変換可能な状態にするものである。
【００７４】
（開閉扉および取付基板の構成）
次に、図５〜図８を用いて開閉扉３４および取付基板２８ａについて、詳細に説明する。図５は、本発明の実施形態にかかるパチンコ機１の変動入賞装置２８において開閉扉３４が閉鎖している状態を示す図面である。図６は、本発明の実施形態にかかるパチンコ機１の変動入賞装置２８において開閉扉３４が開放している状態を示す図面である。また、また、図７は、本発明の実施形態におけるパチンコ機１の取付基板２８ａと開閉扉３４の状態を示すための図６におけるＡ−Ａ断面図である。また、図８（Ａ）は、図７（Ａ）の点線で囲んだ部分を示す図面であり、図８（Ｂ）は、図７（Ｂ）の点線で囲んだ部分を示す図面である。
【００７５】
図７および図８に示すように、本実施形態にかかるパチンコ機１の取付基板２８ａは、当接部４１、段部４２、傾斜部４３が設けられており、取付基板の周縁部は前方かつ下方に傾斜している。この傾斜と傾斜部４３は、遊技領域Ｔを流下してきた遊技球が取付基板２８の周縁部に当接したときに球溜まりを生じさせることなくスムーズに流下させるためのものである。また、段部４２は、開口部２８ｂを形成する取付基板２８ａを形成する取付基板２８ａの上縁を、遊技盤２０の盤面方向へ退避させて形成して、当該上端部の収容空間を形成するためのものである。また、当接部４１は、取付基板２８ａの面より後方に退避した位置に形成されており、開閉扉３４の閉鎖時には、開閉扉３４の後面上端部の一部と当接する。
【００７６】
また、取付基板２８ａの開口部２８ｂの上縁側、すなわち当接部４１の最下端から傾斜部４３の最上端までの間隔は、取付基板２８ａの強度を考慮して形成される。さらに変動入賞装置２８の取付孔の周縁部が開閉扉３４の開放時に露出してしまうと、外観を損なってしまうため、当接部４１の最下端から傾斜部４３の最上端までの間隔は、開放時においても当該周縁部が露出しない程度の間隔に形成される。
【００７７】
また、本実施形態にかかる開閉扉３４は、縦幅（上下方向の幅、高さ）が遊技盤２０と遊技盤２０を覆うガラス枠との間隔より小さくなるように形成される。さらに、開閉扉３４の縦幅は、図６に示すような開閉扉３４の開放状態において、ガラス枠と開閉扉３４の先端との間に遊技球が球詰まりを起こさない程度の幅に形成される。この球詰まりを起こさない程度の縦幅とは、開閉扉３４の開放状態において、開閉扉３４の先端とガラス枠との間に遊技球が通過しない程度（遊技球の直径よりも）であって、なおかつ、開閉扉３４の先端とガラス枠との間に遊技球が詰まってしまわないような開閉扉３４の幅である。これら球詰まりを起こさないための開閉扉３４の縦幅は、遊技球の直径（例えば１１ｍｍ）に基づいて定められる。
【００７８】
また、図７（Ａ）および図８（Ａ）に示すように、取付基板２８ａは、取付基板２８ａにおける当接部４１が、傾斜部４３の段部４２との境界部分を基準として後方に位置するように形成される。また、傾斜部４３の最下端から当接部４１の最上端までの間隔（すなわち段部４２の幅）は、開閉扉３４の先端の厚みと略同一となるように形成される。その結果、開閉扉３４の閉鎖時において、開閉扉３４の上端は取付基板２８ａの傾斜部４３の下方に収容される。当該開閉扉３４の上端が取付基板２８ａの傾斜部４３および段部４２の下方に収容されることにより、開閉扉３４の後面上端が当接部４１と当接し、段部４２と当接部４１とにより画成される収容空間に収容されているため、開閉扉３４の閉鎖時において開閉部材の上端部に流下してきた遊技球が当たった場合でも、その衝撃で開閉扉３４が開放してしまう事態を防止することができ、意図しないタイミングで変動入賞装置２８に遊技球が入賞してしまうことがなく、パチンコ機１における遊技に支障をきたすおそれがなくなる。さらに、針金等の不正器具を当該後面先端部に引っ掛けることが困難となるから、不正に変動入賞装置を開放させることを防止しうる。
【００７９】
また、図５に示すように、開閉扉３４が閉鎖状態となっているときは、本実施形態におけるパチンコ機１の開閉扉３４の最上端が、取付基板２８ａにおける当接部４１の最下端より上となるとともに、後面の上端部が、取付基板２８ａにおける当接部４１と当接するように構成されている。また、図７（Ｂ）に示すように遊技盤２０に形成された変動入賞装置２８の取付孔の上縁は、開閉扉３４の閉鎖時において開閉扉３４の先端より下方になるように形成されている。
【００８０】
すなわち、図５および図７（Ｂ）に示すように、開閉扉３４の縦幅より、取付基板２８ａの開口部２８ｂおよび箱枠３０の遊技球入賞口の縦幅が小さくなるように形成されておいる。また、取付基板２８ａを変動入賞装置２８の取付孔に取り付けたときに、取付基板２８ａにおける当接部４１の上端は、当該取付孔の上縁部より上方に位置する構成となっている。このように、これら取付基板２８ａの開口部２８ｂおよび箱枠３０の遊技球入賞口の縦幅を、遊技球の取り込みに支障がない程度に縮小して形成することにより、変動入賞装置２８および取付基板２８ａの遊技領域Ｔにおける配置スペースを低減させることができ、その分の空きスペースを他の用途に利用することができるようになる。
【００８１】
また、図７（Ｂ）に示すように遊技盤２０に形成された変動入賞装置２８の取付孔の上縁は、開閉扉３４の閉鎖時において開閉扉３４の先端より下方になるように形成されている。
【００８２】
また、図７および図８に示すように、開閉扉３４の前面の上端部５０は、前方かつ下方に傾斜するとともに曲面となっている。同様に、取付基板２８ａの傾斜部４３も前方かつ下方に傾斜するとともに曲面となっている。図８（Ｂ）に示すように、この上端部５０の曲面と傾斜部４３の曲面は、開閉扉３４が閉鎖状態となっているときに略１つの曲面を形成するように形成されており、例えば略同一の曲率を有するように形成される。これにより、開閉扉３４の前面上端に遊技球が当接して、特別遊技状態でないときに変動入賞装置２８の開閉扉３４が開放してしまうという問題が解消される。
【００８３】
［パチンコ機の制御］
次に、本実施形態にかかるパチンコ機１の制御の概略について説明する。パチンコ機１は主制御基板６０と、副制御基板７０を備えている。主制御基板６０は、ＣＰＵ（Ｃｅｎｔｒａｌ  Ｐｒｏｃｃｅｓｓｉｎｇ  Ｕｎｉｔ）６１、ＲＡＭ（Ｒａｎｄｏｍ  Ａｃｃｅｓｓ  Ｍｅｍｏｒｙ）６２、ＲＯＭ（Ｒｅａｄ  Ｏｎｌｙ  Ｍｅｍｏｒｙ）６３を備えて構成される。また、副制御基板７０はサブＣＰＵ７１、ＲＡＭ７２、ＲＯＭ７３を備えて構成される。ＲＯＭ６３・７３には、パチンコ機１に必要な制御プログラムが記憶されており、この制御プログラムをメインＣＰＵ６１またはサブＣＰＵ７１がＲＡＭ６２またはＲＡＭ７２上に展開することにより、各種制御および処理を行うようになっている。主制御基板６０は、始動入賞装置２７の検出センサ・アクチュエータや、変動入賞装置２８のソレノイド３５や、副制御基板７０の制御を行う。副制御基板７０では、表示制御、音声制御およびランプ制御などを行う。
【００８４】
例えば、発射装置１８によって遊技盤２０の遊技領域Ｔに打ち込まれた遊技球が始動入賞装置２８を通過して内部の遊技球検出器センサで検出されると、検出信号が送信され、主制御基板６０が副制御基板７０を制御する。このとき副制御基板７０は、ランプ制御により保留ランプを点灯させ、表示制御により可変表示装置２３のデジタル表示が変動させる。一定時間が経過するとその変動を停止させる。そして、その停止時の表示が予め設定された表示（例えば、可変表示装置の全列に同一の図柄が表示されたとき）となると特別遊技状態（大当たり）となる。特別遊技状態によって主制御基板６０は、装飾ランプ１５を点灯または点滅させ、また、変動入賞装置２８のソレノイド３５を励磁させ、開閉扉３４を一定時間または所定個数の遊技球が入賞するまで開放状態とする。さらに変動入賞装置２８においてカウントスイッチ３９が遊技球を検出すると、賞球として例えば１５個の遊技球を上球皿１４に払い出させる。
【００８５】
［変形例］
次に、本発明にかかるパチンコ機の変形例について説明する。
【００８６】
以上において説明したパチンコ機１の構成は、本発明を好適に実施するための一構成例に過ぎないものである。したがって、本発明の要旨の範囲内における任意の変形を適宜施すことが可能である。
【００８７】
以上に説明した本発明の実施形態におけるパチンコ機１では、変動入賞装置２８の取付基板２８ａにおける開口部２８ｂ周縁の傾斜部４３および開閉扉３４の前面の上端が曲面となるように形成されているが、本発明はこれに限定されず、例えば、取付基板の傾斜部および開閉扉の上端を略同一の傾斜とする平面とし、これらの傾斜は、開閉扉が閉鎖したときに略連続した傾斜面を形成するように構成してもよい。また、取付基板の傾斜部を曲面とせずに前方かつ下方に傾斜する平面として形成し、開閉扉の前面上端部のみを曲面としてもよい。この変形例においても、以上に説明した本発明の実施形態のパチンコ機１における取付基板２８ａおよび開閉扉３４と同様に、開閉扉の上端が傾斜していない場合と比較して、遊技領域Ｔを流下してきた遊技球が変動入賞装置の開閉扉上端に当接しても、その衝撃で開閉扉が前方に回動するように作用し難く、開口部が開放してしまう事態を防止することができる。
【００８８】
また、変動入賞装置の取付基板における傾斜部と段部の境界から当接部までの間隔を開閉扉の厚みと略同一とする構成であってもよい。このとき開閉扉の厚みを薄型化するか、または、変動入賞装置の取付孔の上縁部近傍において遊技盤面を後方に切削し、当該切削されて後方に位置する遊技盤面に合わせて、取付基板を配置することが好ましい。この変形例では、変動入賞装置における開閉扉の上端部が、取付基板の傾斜部の下方に収容されることにより、遊技領域Ｔを流下してきた遊技球が変動入賞装置の開閉扉上端に当接しないように構成されており、遊技球により開閉扉が開放してしまう事態を防止することができる。また、変動入賞装置における開閉扉の上端部が、取付基板の傾斜部の下方に収容されることにより、針金等の不正器具を当該後面先端部に引っ掛けることが困難となるから、不正に変動入賞装置を開放させることを防止しうる。
【００８９】
また、以上に説明した本発明の実施形態にかかるパチンコ機１では、遊技盤の遊技領域Ｔにおいて、センター役物２５や可変表示装置２３を略中央から上方に配置し、その下方に始動入賞装置２７を配置し、その始動入賞装置２７のさらに下方に変動入賞装置２８を配置するように構成されているが本発明はこれに限定されず、例えば、センター役物（可変表示装置）の左方域、または右方域において、始動入賞装置および変動入賞装置を上下に配置するように構成してもよい。この変形例においても、本発明にかかる変動入賞装置、取付基板および変動入賞装置の取付孔を適用することにより、開閉扉の上端が取付基板と当接する分または、取付孔の上縁部より上方に位置する分、遊技領域Ｔの省スペース化を図ることができ、空いたスペースを他の用途に利用することができる。特に、センター役物２５（表示手段としての可変表示装置２３）と変動入賞装置２８と始動入賞装置２７とが同一方向に併設される場合は、余剰スペースが極めて少なくなるためにセンター役物２５や可変表示装置２３の拡大を図ることが困難であったが、本発明の変動入賞装置２８を採用することにより、所要の機能を充足するために縮小化に限界のある始動入賞装置２７やゲージ構成に影響を与えることなく、遊技領域Ｔの鉛直方向に空きスペースを拡大することができる。通常、センター役物２５、可変表示装置２３、変動入賞装置２８および、始動入賞装置２７は、遊技領域Ｔにおける上下方向（鉛直方向）に並設されるものであるところ、センター役物２５や可変表示装置２３の左方域または右方域など、比較的スペースに余裕のある場所に当該変動入賞装置２８を配設することに比べ、上方域または下方域に当該変動入賞装置２８を配設することは、より好適にセンター役物２５や可変表示装置２３の拡大に貢献し得るといえる。
【００９０】
また、以上に説明した本発明の実施形態にかかるパチンコ機１では、遊技盤の遊技領域Ｔにおいて、センター役物２５や可変表示装置２３を略中央から上方に配置し、その下方に始動入賞装置２７を配置し、その始動入賞装置２７のさらに下方に変動入賞装置２８を配置するように構成されているが本発明はこれに限定されず、例えば、センター役物（可変表示装置）の上方に始動入賞装置を配置し、下方に変動入賞装置を配置するように構成してもよい。また、センター役物（可変表示装置）の上方に変動入賞装置を配置し、下方に始動入賞装置を配置するように構成してもよく、センター役物（可変表示装置）の上方に始動入賞装置および変動入賞装置を配置するように構成してもよい。これらの変形例においても、本発明にかかる変動入賞装置、取付基板および変動入賞装置の取付孔を適用することにより、開閉扉の上端が取付基板と当接する分または、取付孔の上縁部より上方に位置する分、遊技領域Ｔの省スペース化を図ることができ、空いたスペースを他の用途に利用することができる。
【００９１】
また、以上に説明した本発明の実施形態にかかるパチンコ機１では、開閉扉３４の後面上端が、取付基板２８ａの当接部４１の下端より上方に位置し、開閉扉３４の後面上端と、取付基板２８ａの当接部が一部当接する本発明の構成を変動入賞装置に適用しているが、本発明はこれに限定されず、例えば、始動入賞装置に下端が軸支されて前後方向に回動する開閉扉を設け、これに当該構成を適用してもよい。これらの変形例においても、以上に説明した本発明の実施形態のパチンコ機１と同様に、遊技領域Ｔの省スペース化を図ることができ、空いたスペースを他の用途に利用することができる。
【００９２】
また、以上に説明した本発明の実施形態にかかるパチンコ機１では、変動入賞装置および始動入賞装置がともに１つずつ配置される構成となっているが、本発明はこれに限定されず、例えば、遊技盤の遊技領域において変動入賞装置をさらに１つ加えて配置する構成であってもよい。この変形例においては、本実施形態と比較して、さらに遊技領域の省スペース化が要求され、本発明を適用した際より大きな効果を奏する。
【００９３】
なお、以上において説明した実施の形態は、本発明の理解を容易にするために記載されたものであって、本発明を限定するために記載されたものではない。また、上記の実施の形態に開示された各要素は、本発明の技術的範囲に属する任意の設計変更や均等物をも含む趣旨である。
【図面の簡単な説明】
【００９４】
【図１】本発明の実施形態にかかるパチンコ機の概略正面図である。
【図２】本発明の実施形態にかかるパチンコ機の遊技盤の概略正面図である。
【図３】本発明の実施形態にかかるパチンコ機の変動入賞装置の分解斜視図である。
【図４】（Ａ）本発明の実施形態における、パチンコ機において変動入賞装置のソレノイドが通電せず、開閉扉が閉鎖状態となっている状態を示す図面である。  （Ｂ）本発明の実施形態における、パチンコ機において変動入賞装置のソレノイドが通電し、開閉扉が開放状態となっている状態を示す図面である。
【図５】本発明の実施形態にかかるパチンコ機の変動入賞装置において開閉扉が開放している状態を示す図面である。
【図６】本発明の実施形態にかかるパチンコ機の変動入賞装置において開閉扉が閉鎖している状態を示す図面である。
【図７】本発明の実施形態におけるパチンコ機の取付基板と開閉扉の状態を示すための図６におけるＡ−Ａ断面図である。
【図８】本発明の実施形態におけるパチンコ機の取付基板と開閉扉の状態を示すための図である。
【図９】本発明の実施形態に係るパチンコ機の制御ブロック図である。
【符号の説明】
【００９５】
１  パチンコ機
１０  外枠
１１  ヒンジ
１２  中枠
１３  前枠
１４  上球皿
１５  装飾ランプ
１６  下球皿
１７  スピーカ
１８  発射装置
２０  遊技盤
２１ａ  外ガイドレール
２１ｂ  内ガイドレール
２２  遊技球誘導路
２３  可変表示装置
２５  センター役物
２６ｃ  一般入賞口
２６ｅ  取付基板
２６ｇ  サイドランプ
２７  始動入賞装置
２７ａ  開閉羽根
２８  変動入賞装置
２８ａ  取付基板
２８ｂ  開口部
３０  箱枠
３３  回動軸
３４  開閉扉
３５  ソレノイド
３６ａ  扉テコ
３６ｂ  扉リブ
３７  扉プランジャ
４１  当接部
４２  段部
４３  傾斜部
５０  上端部
６０  主制御基板
６１  メインＣＰＵ
６２  ＲＡＭ
６３  ＲＯＭ
７０  サブＣＰＵ
Ｔ  遊技領域
【図１】
2008017952.tif 000003
【図２】
2008017952.tif 000004
【図３】
2008017952.tif 000005
【図４】
2008017952.tif 000006
【図５】
2008017952.tif 000007
【図６】
2008017952.tif 000008
【図７】
2008017952.tif 000009
【図８】
2008017952.tif 000010
【図９】
2008017952.tif 000011